(57)【要約】【課題】原稿読み取りライン位置での正確なシェーディング補正データを取得すると共に、紙粉による画像データへの影響を回避することができる画像読取装置を提供する。【解決手段】原稿先端Ｑは徐々に斜面を競り上がるが、この時、原稿Ｐは原稿ガイド５１の露光反射面５２側に引き上げられる。但し露光反射面５２は平面のため用紙に接触するのは、露光反射面５２の上流角部５４と下流角部５５の２点のみで、読み取りラインに対応する平面部分には接触することは無い。この時、露光反射面５２の原稿面側を、主走査方向に亘って、搬送方向に湾曲させ、その湾曲の中心点Ｒを読み取りライン上近傍に設定することで、湾曲の頂点Ｒを読取ライン上とすることができる。この湾曲形状により、掬上げガイド５３の斜面を競りあがる原稿Ｐは、読み取りガイド５２の白色面側に引き上げられ、凸形状に湾曲した読み取りガイド５２の白色面に接触することとなる。【選択図】図９
2010062928.tif 000002
【特許請求の範囲】
【請求項１】
原稿画像を読み取る原稿読取手段と、原稿面に相対する位置で原稿の背面に配設された原稿ガイド手段と、該原稿ガイド手段の原稿排紙側に配設され該原稿の先端を排紙口に導くガイド部材と、を備えた画像読み取り装置において、
前記原稿ガイド手段は、画像読み取りライン近傍を頂点として副走査方向に亘って湾曲凸形状に構成したことを特徴とする画像読み取り装置。
【請求項２】
前記原稿先端が前記ガイド部材に当接するまで該原稿面が前記原稿ガイド手段の面上を摺擦するように前記湾曲凸形状を構成することを特徴とする請求項１に記載の画像読み取り装置。
【請求項３】
前記原稿先端が前記ガイド部材に当接した後に、該原稿が撓むことにより発生する摺擦力のピーク点が、前記原稿読み取り面上の読み取りラインより下流側に発生するように前記ガイド部材を配置することを特徴とする請求項１又は２に記載の画像読み取り装置。
【請求項４】
前記読取ラインと対応する前記原稿ガイド手段の面を、シェーディング補正に用いる基準白色面とすることを特徴とする請求項１又は２に記載の画像読み取り装置。
【請求項５】
前記基準白色面は、前記原稿ガイド手段の面を白色塗装することにより構成されていることを特徴とする請求項４に記載の画像読み取り装置。
【請求項６】
前記基準白色面は、前記原稿ガイド手段の面に白色樹脂シートを貼り付けて構成されていることを特徴とする請求項４に記載の画像読み取り装置。
【請求項７】
前記基準白色面は、前記原稿ガイド手段の面を白色樹脂素材により成形して構成されていることを特徴とする請求項４に記載の画像読み取り装置。
【発明の詳細な説明】
【技術分野】
【０００１】
本発明は、画像読み取り装置に関し、さらに詳しくは、光学ユニットを有する読み取り手段、又は、センサーチップで構成される密着センサなどの読み取り手段を用いて、原稿を搬送しながら画像の読み取りを行い、画像品質維持のために、白色基準部材を用いたシェーディング補正機能を有する原稿読み取り装置に関するものである。
【背景技術】
【０００２】
従来から画像読取り装置は、光源により照射された原稿面上の画像を光学系を介してイメージセンサにより光電変換される。このような構成を有する画像読取り装置は、原稿を搬送しながら画像を読取るタイプと、原稿を固定して光学系を走査して読取るタイプに分けられる。そして、原稿読み取り時には、光源により原稿を照明して原稿画像をセンサによって読み取る際、光源の光量ムラやセンサの感度ムラによって読み取り誤差が生じる。これを補正するためにシェーディング補正を行っている。このシェーディング補正を行うにあたり、白色の基準部材を用いるのが一般的である。即ち、白色部材を通常の原稿読み取りと類似の条件下で読み取って、それを白基準としてデータを補正している。
従来技術として、光学ユニットを有する走査型の読み取り手段を用いた装置でのシェーディング補正データ取得動作は、例えば、特許文献１に開示されている。また、図１１に示すように、原稿搬送読み取り部分５９から離れた位置に、読み取り部分５９と類似の構成に配置した白色基準部材５８を設け、原稿搬送の合間に光学ユニットを符号５７の位置まで移動させて、白色基準部材５８の読み取りを行い、読み取り完了後に、再度原稿搬送読み取り部分５９に戻るという動作を行っていた。
また、特許文献２には、密着センサの読み取りライン上に白色ローラを配置し、このローラをシェーディング補正白色基準として使用しており、画像読み取り点と同じ位置でシェーディング補正データを取得し、原稿搬送面側に湾曲凸形状となっている構成が開示されている。
【特許文献１】特開２００１−１３６３４６公報
【特許文献２】特開２００７−１６６２０７公報
【発明の開示】
【発明が解決しようとする課題】
【０００３】
しかしながら、特許文献１に開示されている従来技術は、光学ユニットを移動させることは、その移動距離に応じた時間と、移動後の振動安定時間、読み取り時間、戻り時間等を合計した時間が必要となり、原稿読み取りスピードが速くなるに従って、このシェーディング補正データ取得動作は、読み取り間隔以内の空き時間で完結できなくなった。そのため、本来、シェーディング補正は、１枚に１回行なうのが最も良いが、高速機に関しては、１０枚〜３０枚に１回程度まで低減させ、読み取りスピード優先の設定が行なわれていた。
また、特許文献２に開示されている従来技術は、原稿が読み取り面を積極的に摺擦する構成がなく、又、シェーディング補正白色基準ローラは、回転駆動される構成となった搬送ローラの役目をしているため、原稿により摺擦されることが少なく、更に、密着センサ通過後の原稿ガイド構成がストレートで、密着センサの読み取り面を原稿が積極的に摺擦しないため、画像読取部をクリーニングする機能が働かないため、紙粉による画像データへの影響を回避できないといった問題がある。
本発明は、かかる課題に鑑みてなされたものであり、読み取り部の原稿読み取りガイドを、原稿通紙側の露光反射面側に凸形状とすることで、撓みを与えられた原稿によって読み取り部表面のセルフクリーニングが可能となり、原稿読み取りライン位置での正確なシェーディング補正データを取得すると共に、紙粉による画像データへの影響を回避することができる画像読取装置を提供することを目的とする。
【課題を解決するための手段】
【０００４】
本発明はかかる課題を解決するために、請求項１は、原稿画像を読み取る原稿読取手段と、原稿面に相対する位置で原稿の背面に配設された原稿ガイド手段と、該原稿ガイド手段の原稿排紙側に配設され該原稿の先端を排紙口に導くガイド部材と、を備えた画像読み取り装置において、前記原稿ガイド手段は、画像読み取りライン近傍を頂点として副走査方向に亘って湾曲凸形状に構成したことを特徴とする。
請求項２は、前記原稿先端が前記ガイド部材に当接するまで該原稿面が前記原稿ガイド手段の面上を摺擦するように前記湾曲凸形状を構成することを特徴とする。
請求項３は、前記原稿先端が前記ガイド部材に当接した後に、該原稿が撓むことにより発生する摺擦力のピーク点が、前記原稿読み取り面上の読み取りラインより下流側に発生するように前記ガイド部材を配置することを特徴とする。
請求項４は、前記読取ラインと対応する前記原稿ガイド手段の面を、シェーディング補正に用いる基準白色面とすることを特徴とする。
請求項５は、前記基準白色面は、前記原稿ガイド手段の面を白色塗装することにより構成されていることを特徴とする。
請求項６は、前記基準白色面は、前記原稿ガイド手段の面に白色樹脂シートを貼り付けて構成されていることを特徴とする。
請求項７は、前記基準白色面は、前記原稿ガイド手段の面を白色樹脂素材により成形して構成されていることを特徴とする。
【発明の効果】
【０００５】
本発明によれば、読み取り部の原稿読み取りガイドを、原稿通紙側の露光反射面側に凸形状とすることで、たわみを与えられた原稿によってセルフクリーニングが可能となり、原稿読み取り面と、原稿読み取りガイドの下流端部と、原稿掬い上げガイドで構成される原稿撓みによって、原稿が、読み取り面をセルフクリーニング可能となり、読み取りガイドと読み取り面の両者を原稿によって、セルフクリーニングすることが出来る。これによって原稿読み取りライン位置でのシェーディング補正データ取得が可能となる。
【発明を実施するための最良の形態】
【０００６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明に係る自動原稿読取装置の構成を示す断面図である。この自動原稿読取装置（以下、ＡＤＦと呼ぶ）５０は、原稿束０を載置する原稿テーブル１と、原稿束０の先端を整列するストップ爪２と、給紙モータ１０２の正転により最上位の原稿を給紙口に搬送するピックアップローラ３と、最上位の原稿とその下の原稿を分離するリバースコロ４と、最上位の原稿を給紙する給紙ベルト５と、スキュー補正機能を有すると共に、分離後にスキュー補正された原稿を読取入口ローラ８まで搬送するプルアウトローラ６、プルアウト従動ローラ７と、スキュー補正機能を有すると共に、スキュー補正された原稿を読取倍率に応じた搬送速度で搬送する読取入口ローラ８、読取入口従動ローラ９と、読取出口ローラ１０、読取出口従動ローラ１１と、原稿を排紙する排紙ローラ１２、排紙下従動コロ１３と、排紙された原稿を載置する排紙トレイ１４と、両面原稿の場合に原稿の搬送路を反転ローラ１６側に切り替える切替爪１５と、両面原稿の場合に原稿を反転させる反転ローラ１６、反転従動コロ１７と、両面原稿を再びプルアウトローラ６側に搬送する排紙上従動コロ１８と、原稿の長さを検知する検知センサ２０〜２２と、分離された原稿を検知する分離センサ２３と、プルアウトローラ６に原稿の先端を突き当てたことを検知する突き当てセンサ２４と、原稿の幅方向のサイズを検知する原稿幅センサ２５と、原稿の先端が読取り入口に到達したことを検知する読取入口センサ２６と、読取入口ローラ２８から出た原稿先端を検知するレジストセンサ２７と、原稿に記録された画像データを読取る読取部２８と、原稿の後端を検知して原稿が排紙完了したことを検知する排紙センサ２９と、反転ローラ側に原稿が入ってきたことを検知する反転センサ３０と、原稿を読取入口に導く読取入口マイラ４０と、原稿と読取部２８の間に設定して原稿表面と接触する読取ガラス４１と、読取入口ローラ８により搬送された原稿先端を読取り部２８に導く読取入口ガイド４２と、原稿読み取り面に相対する位置で、原稿の背面に配置された原稿ガイド５１と、を備えて構成されている。
【０００７】
図２は本発明の自動原稿読取装置に係る制御装置の構成を示すブロック図である。同じ構成要素には図１と同じ参照番号を付し重複する説明は省略する。この制御装置６０は、コントローラ１００に図１で説明した各種センサと、ピックアップローラ３を下降させる呼び出しモータ１０１と、最上位の原稿を給紙する給紙モータ１０２と、読取り倍率に応じた搬送速度で読取入口ローラ８と読取出口ローラ１０を駆動する読取りモータ１０３と、反転ローラ１６を駆動する反転モータ１０４と、切替爪１５を駆動する反転ソレノイド１０５と、読み取りが完了した原稿に済スタンプを押す済スタンプ１０６と、本体制御部１１１と接続するインターフェース手段１０７と、を備えて構成されている。
【０００８】
次に、自動原稿読取装置の動作について説明する。図３、図４は給紙動作を説明するフローチャートである。読取りを行う原稿束０をセットするのは、原稿テーブル１上で、原稿面を上向きの状態で、原稿先端をストップ爪２（セット時の状態は２点鎖線で示す）に突き当ててセットすると（Ｓ１でＹＥＳ）、図示しない原稿セットフィラーが角度を変え、図示しない原稿セットセンサにより原稿セットが検知される。更に原稿束０の幅方向を図示しないサイドフェンスによって搬送方向と直行する方向の位置決めを行なう。図示しない本体操作部よりプリントキーが押下され、本体制御部からＡＤＦ制御部に原稿給紙信号が送信されると、呼出しモータ１０１を正転駆動して爪ホームポジションセンサ３４によりセット爪２が下方向（実線の状態）に退避させる（Ｓ２）、原稿がストッパ退避位置に来ると（Ｓ３でＹＥＳ）、呼出しモータ１０１を逆転駆動して（Ｓ４）ピックアップホームポジションセンサによりピックアップローラ３が原稿束０を上から押さえる様に下降させる（Ｓ５、６）。また、給紙原稿テーブル面に設けられた原稿長さ検知センサ２０〜２２により原稿の搬送方向長さの概略が判定され（少なくとも同一原稿サイズの縦か横かを判断可能なセンサ配置が必要）、後に示す原稿幅検知結果との組合せにより原稿サイズの概略判定が行われる（Ｓ７）。
【０００９】
ピックアップローラ３は給紙モータ１０２の正転により最上位の原稿を給紙口に搬送する方向に回転駆動し（Ｓ８）、原稿テーブル１上の数枚（理想的には１枚）の原稿を給紙ベルト５とリバースコロ４によって構成された原稿分離部へと給送する。給紙ベルト５は給紙モータの正転により給紙方向に駆動され、リバースコロ４は給紙と逆方向に回転駆動され最上位の原稿とその下の原稿を分離して、最上位の原稿のみを給紙できる構成となっている。給紙ベルト５とリバースコロ４との作用により１枚に分離された原稿は給紙ベルト５によって更に送られ、突き当てセンサ２４によって先端が検知された（Ｓ９でＹＥＳ）時点から、所定量Ｘｍｍ原稿搬送して給紙モータ１０２の正転駆動を停止させる（Ｓ１０〜Ｓ１２）。この時、前出の所定量Ｘｍｍを突き当てセンサ２４からプルアウトローラ６までの距離よりも大きくすることで、プルアウトローラ６に一定の撓みを形成した状態で原稿が停止することになる。この時、呼出しモータ１０１を逆転させることでピックアップローラ３を原稿上面から退避させ原稿を給紙ベルト５の搬送力のみで送ることにより（Ｓ１３）、原稿先端は、プルアウトローラ６及び従動ローラ７のニップに進入し、分離給送時に発生した原稿の曲がり（スキュー）を補正することができる。
【００１０】
プルアウトローラ６は、前記スキュー補正機能を有すると共に、分離後にスキュー補正された原稿を読取入口ローラ８まで搬送するためのローラで、給紙モータの逆転により駆動される。またこの時（給紙モータ逆転時）（Ｓ１４、１５）、プルアウトローラ７は駆動されるが、図示しないワンウェイクラッチの作用によりピックアップローラ３と給紙ベルト５は駆動されていない。原稿幅センサ２５は奥行き方向に複数個並べられ、プルアウトローラ６により搬送された原稿の搬送方向に直行する幅方向の情報を取得する（Ｓ１６、１７）。前述した原稿テーブル上の長さセンサ２０〜２２の検知結果から取得した長さ情報と、該幅情報との組合せにより本体制御部１１１に原稿テーブル上に積載された原稿束のサイズ情報を送信する（Ｓ１８、１９）。尚、原稿の搬送方向の正確な長さは原稿の先端後端を突き当てセンサ２４で検知する間に搬送した距離は、モータ駆動パルス数をカウントすることで算出する。プルアウトローラ６の駆動により読取入口ローラ８に原稿が搬送される際には、原稿搬送速度を高速に設定して原稿を読取り部へ送り込む処理時間の短縮が図られており、特に２枚目以降の原稿ではこの高速搬送により前原稿との紙間を短縮することで生産性を向上させることができる。原稿先端が読取入口センサ２６により検出されると（Ｓ２０でＹＥＳ）、読取入口ローラ８に原稿先端が進入する前に減速を開始する。ここで、読取り入口センサ２６から読取り入口ローラ８までの距離よりもＹｍｍだけ搬送距離が長くなるように給紙モータ１０２を停止させると、停止している読取り入口ローラ８のニップ部に原稿先端が突き当り、一定の撓みを形成した状態で原稿が停止することになり、プルアウトローラ６による原稿搬送時に発生したスキューを補正する事ができる。原稿が読取り入口ローラ８のニップ部で一時停止（レジスト停止）すると（Ｓ２３）、インターフェース手段１０７を介して本体制御部１１１にレジスト停止信号を送信する（Ｓ２４）。
尚、ステップＳ９で突き当てセンサがＯＮせずにタイムオーバ（Ｓ２５でＹＥＳ）になったときは、突き当て未達ジャム（Ｓ２６）となる。また、ステップＳ２０で読取り入口センサがＯＮせずにタイムオーバ（Ｓ２７でＹＥＳ）になったときは、先端検知未達ジャム（Ｓ２８）となる。
【００１１】
図５、図６、図７は読取り動作を説明するフローチャートである。本体制御部１１１より読取り開始信号を受信すると、原稿読取り動作が開始する。ここで片面モードの場合は（Ｓ３０でＹＥＳ）、読取りモータ速度を読取り倍率から設定して（Ｓ３１）、読取りモータ１０３を正転駆動して読取入口ローラ８、読取出口ローラ１０を読取り倍率に応じた搬送速度で駆動する（Ｓ３２）。原稿の先端をレジストセンサ２７にて検知すると（Ｓ３３）、読取りモータのパルスカウントを開始し（Ｓ３４）、カウント値が表面所定パルスに達し（Ｓ３５）、補正パルスが表面所定パルスに達すると（Ｓ３６）、原稿先端が読取り部に到達するタイミングで、本体制御部に対して副走査方向有効画像領域を示すゲート信号が送出される（Ｓ３７）。該ゲート信号は通常は原稿後端が読取部を抜けるまで送出される（Ｓ３８〜Ｓ４４）。読取部を通過した原稿は読取出口ローラ１０及び排紙ローラ１２により搬送され（Ａ方向）、排紙トレイ１４に排出される（Ｓ４６）。
尚、ステップＳ３９で排紙センサがＯＮせずにタイムオーバ（Ｓ４７でＹＥＳ）になったときは、排紙未達ジャム（Ｓ４８）となる。また、ステップＳ４０でレジストセンサがＯＮせずにタイムオーバ（Ｓ４９でＹＥＳ）になったときは、レジスト滞留達ジャム（Ｓ５０）となる。また、ステップＳ４５で排紙センサがＯＮせずにタイムオーバ（Ｓ５１でＹＥＳ）になったときは、排紙滞留達ジャム（Ｓ５２）となる。
【００１２】
一方、ステップＳ３０で両面モードのときは（Ｓ３０でＮＯ）、読取りモータ１０３の速度を読取り倍率から設定し（Ｓ５３）、読取りモータ１０３を正転させて先端カウントをスタートさせる（Ｓ５４）。カウント値が裏面所定パルスに達し（Ｓ５５）、補正パルスが裏面所定パルスに達すると（Ｓ５６）、原稿先端が読取り部に到達するタイミングで、本体制御部に対して副走査方向有効画像領域を示すゲート信号が送出される（Ｓ５７）。そしてゲートカウントをスタートさせ（Ｓ５８）、読取り出口センサに原稿が到達すると（Ｓ５９でＹＥＳ）、反転ソレノイド１０５をＯＮして反転モータ１０４を正転させる（Ｓ６０）。反転センサ３０がＯＮすると（Ｓ６１でＹＥＳ）、レジストセンサ２７のＯＦＦを待って（Ｓ６２でＹＥＳ）後端カウンタをスタートさせ（Ｓ６３）、カウント値が裏面所定パルスに達すると（Ｓ６４）、原稿長がゲートカウント値以下であれば（Ｓ６５でＹＥＳ）、副走査方向有効画像領域を示すゲート信号を停止する（Ｓ６６）。そして、取り出し出口センサがＯＦＦとなり（Ｓ６７）、所定パルス数搬送して（Ｓ６８）反転ソレノイド１０５をＯＦＦし、反転モータ１０４を逆転し、読取りモータ１０２を加速させ（Ｓ６９）、所定パルス数搬送すると（Ｓ７０）、給紙モータ１０２を逆転して（Ｓ７１）、反転センサ３０がＯＦＦになると（Ｓ７２）、反転モータ１０４を停止する（Ｓ７３）。ここで裏面の読み取りが完了すると（Ｓ７４でＹＥＳ）、排紙センサのＯＦＦを待って（Ｓ７５）、給紙モータ１０２と読取りモータ１０３を停止して（Ｓ７６）、排紙完了信号を本体制御部１１１に送信する（Ｓ７７）。
【００１３】
一方、ステップＳ７４で裏面読取りが完了していないときは（Ｓ７４でＮＯ）、読取り入口センサがＯＮすると（Ｓ８８）、読取りモータ１０３を停止して（Ｓ８９）、補正カウンタをスタートさせ（Ｓ９０）、カウント値が初手パルス数になると（Ｓ９１）、給紙モータ１０２を停止して（Ｓ９２）、レジスト停止信号を本体制御部１１１に送信する（Ｓ９３）。
尚、ステップＳ５９で読取り出口センサがＯＮせずにタイムオーバ（Ｓ７８でＹＥＳ）になったときは、排紙未達ジャム（Ｓ７９）となる。また、ステップＳ６１で反転センサがＯＮせずにタイムオーバ（Ｓ８０でＹＥＳ）になったときは、反転未達ジャム（Ｓ８１）となる。また、ステップＳ６２でレジストセンサがＯＮせずにタイムオーバ（Ｓ８２でＹＥＳ）になったときは、レジスト滞留達ジャム（Ｓ８３）となる。また、ステップＳ６７で読取り出口センサがＯＮせずにタイムオーバ（Ｓ８４でＹＥＳ）になったときは、排紙滞留達ジャム（Ｓ８５）となる。また、ステップＳ７５で排紙センサがＯＮせずにタイムオーバ（Ｓ８６でＹＥＳ）になったときは、排紙滞留達ジャム（Ｓ８７）となる。また、ステップＳ８８で読取り入口センサがＯＮせずにタイムオーバ（Ｓ９４でＹＥＳ）になったときは、先端検知未達ジャム（Ｓ９５）となる。
【００１４】
次に、本発明のポイントである読み取り部に関して説明する。図８、図９は本発明のＡＤＦの読取り部周辺の構成を示す拡大図である。先ず、従来の技術図１０では、原稿読み取り動作が開始すると、読み取り入口ローラ８、読み取り出口ローラ１０が読み取り倍率に応じた搬送速度で駆動され、原稿を読み取り手段の上部に設けられたガラス面４１で構成される読み取り面と、原稿ガイド５１の露光反射面５２とで作られたギャップ６０に進入する。その後、原稿先端は、掬上げガイド５３の斜面に到達する。その後、原稿先端は徐々に斜面を競り上がるが、この時、原稿は原稿ガイド５１の露光反射面５２側に引き上げられる。但し露光反射面５２は平面のため用紙に接触するのは、露光反射面５２の上流角部５４と下流角部５５の２点のみで、読み取りラインに対応する平面部分には接触することは無い。これは紙に屈曲力が加わると紙は湾曲するため、平面部とは接触する事が無い。
この時、図８のように露光反射面５２の原稿面側を、主走査方向に亘って、搬送方向に湾曲させ、その湾曲の中心点Ｒを読み取りライン上近傍に設定することで、湾曲の頂点Ｒを読取ライン上とすることができる。この湾曲形状により、掬上げガイド５３の斜面を競りあがる原稿Ｐは、読み取りガイド５２の白色面側に引き上げられ、凸形状に湾曲した読み取りガイド５２の白色面に接触することとなる。原稿が露光反射面５２に接触するための湾曲の量については、原稿の撓み量以上の量が必要で、露光反射面５２の左端コーナ５４の点と、右側のコーナ５５の両点に原稿が接触するまで、掬上げガイド５３の斜面を競りあがった点での撓み量に匹敵する量以上あれば接触は可能となる、この量は、紙のヤング率によって変化するが、湾曲量としては、僅かな凸となる量で原稿との接触が可能となる。
【００１５】
前記原稿搬送が更に進むと原稿は、図９のように、掬上げガイド５３の斜面を越えて、ガイドの頂部に到達する。この時、原稿は更にたわみをまして、読み取り面５６と、露光反射面５２の右側コーナ５５の点と、掬上げガイド５３の頂点位置とで形作られる湾曲形状に変化する。この状態では、原稿の上流側は、読み取りガイド５２の白色湾曲面との接触を離れ、読み取り面５６側に接触する状態になっている。この接触圧によって、読み取り面５６の原稿によるセルフクリーニングが行われる。
原稿による、読み取り面５６のセルフクリーニングは、読み取り面の押し付けられた原稿の撓み変極点が最も高く、その上流側は、接触はしているが圧が弱い状態となっている。これに対して、撓み変極点よりも下流側は、読み取り面５６と原稿の接触がなくなるため、この範囲は、搬送中（読み取り中）のセルフクリーニング効果が無く、紙紛溜まりとなっている。この紙紛溜まり位置を読み取り部２８のライン上に設定すると、この紙紛を写しこみ、スジ画像が発生する。この紙紛溜まり位置を調整するには、露光反射面５２の右側コーナ５５の点と、掬上げガイド５３の頂点の位置関係を変えることで可能となる。
【図面の簡単な説明】
【００１６】
【図１】本発明に係る自動原稿読取装置の構成を示す断面図である。
【図２】本発明の自動原稿読取装置に係る制御装置の構成を示すブロック図である。
【図３】給紙動作を説明するフローチャート（その１）である。
【図４】給紙動作を説明するフローチャート（その２）である。
【図５】読取り動作を説明するフローチャート（その１）である。
【図６】読取り動作を説明するフローチャート（その２）である。
【図７】読取り動作を説明するフローチャート（その３）である。
【図８】本発明のＡＤＦの読取り部周辺の構成を示す拡大図である。
【図９】本発明のＡＤＦの読取り部周辺の構成を示す拡大図である。
【図１０】従来のＡＤＦの読取り部周辺の構成を示す図である。
【符号の説明】
【００１７】
０：原稿束、１：原稿テーブル、２：ストップ爪（セット時の状態は２点鎖線で示す）、３：ピックアップローラ、４：リバースコロ、５：給紙ベルト、６：プルアウトローラ、７：プルアウト従動ローラ、８：読取入口ローラ、９：読取入口従動ローラ、１０：読取出口ローラ、１１：読取出口従動ローラ、１２：排紙ローラ、１３：排紙下従動コロ、１４：排紙トレイ、１５：切替爪、１６：反転ローラ、１７：反転従動コロ、１８：排紙上従動コロ、１９：原稿セットセンサ、２０〜２２：検知センサ（原稿長さ）、２３：分離センサ、２４：突き当てセンサ、２５：原稿幅センサ、２６：読取入口センサ、２７：レジストセンサ、２８：読取部、２９：排紙センサ、３０：反転センサ、３１：原稿セットフィラー、４０：読取入口マイラ、４１：読取ガラス、４２：読取入口ガイド、１０２：給紙モータ、１０３：読取モータ、１０４：反転モータ、１１１：本体制御部
【図１】
2010062928.tif 000003
【図２】
2010062928.tif 000004
【図３】
2010062928.tif 000005
【図４】
2010062928.tif 000006
【図５】
2010062928.tif 000007
【図６】
2010062928.tif 000008
【図７】
2010062928.tif 000009
【図８】
2010062928.tif 000010
【図９】
2010062928.tif 000011
【図１０】
2010062928.tif 000012